(57)【要約】本開示のモバイル端末は、モバイル端末の中間支持体である中間外殻（５）と、中間外殻（５）の前面側に固定された前面外殻（６）と、中間外殻（５）の背面側に固定され、中間外殻（５）の背面側を覆う背面カバー（３）と、背面カバー（３）に固定され、バッテリーを覆うバッテリーカバー（１）と、前面外郭（６）上に順に配置された表示画面（７）およびタッチ画面（８）とを備え、前面外殻（６）は、表示画面（７）とタッチ画面（８）とを支持するとともに、前面外殻（６）とタッチ画面（８）との間に表示画面（７）が位置されている。このようなモバイル端末では、それぞれの部材の製造における複雑さを低減できるとともに、製造工程を簡素化でき、部材製造の歩留まりを高めることができ、モバイル端末の製造および修理コストとを低減できる。
2016514281.tif 000002
【特許請求の範囲】
【請求項１】
モバイル端末の中間支持体である中間外殻（５）と、
前記中間外殻（５）の前面側に固定された前面外殻（６）と、
前記中間外殻（５）の背面側に固定され、前記中間外殻（５）の背面側を覆う背面カバー（３）と、
前記背面カバー（３）に固定され、バッテリーを覆うバッテリーカバー（１）と、
前記前面外殻（６）上に順に配置された表示画面（７）およびタッチ画面（８）と、を備え、
前記前面外殻（６）は、前記表示画面（７）と前記タッチ画面（８）とを支持するとともに、前記前面外殻（６）と前記タッチ画面（８）との間に前記表示画面（７）が位置されている、モバイル端末。
【請求項２】
前記中間外殻（５）は、フレーム（５２）と、前記フレーム（５２）内に配置されて前記フレームにより囲まれた領域を複数の分割領域に分割する横断梁（５１）と、を備え、前記複数の分割領域は、少なくとも回路基板領域（５３、５５）とバッテリー領域（５６）とを含む、請求項１に記載のモバイル端末。
【請求項３】
前記背面カバー（３）において前記バッテリー領域（５６）に対応する位置に、バッテリー脱着のための操作開口が設けられている、請求項２に記載のモバイル端末。
【請求項４】
前記前面外殻（６）、前記中間外殻（５）、および前記背面カバー（３）それぞれの縁部分に接続孔として、第１接続孔（３３）、第２接続孔（５７）、および第３接続孔（６２）が設けられ、
前記第１接続孔（３３）が前記背面カバー（３）に設けられ、前記第２接続孔（５７）が前記中間外殻（５）に設けられ、前記第３接続孔（６２）が前記前面外殻（６）に設けられ、前記前面外殻（６）、前記中間外殻（５）、および前記背面カバー（３）が、前記接続孔に挿入されたねじ接続部材を介して接続されている、請求項１に記載のモバイル端末。
【請求項５】
前記背面カバー（３）の前面側表面において前記第１接続孔（３３）に対応する位置に第１突起部（３２）が設けられ、前記中間外殻（５）において前記第１突起部（３２）に対応する位置に凹部（５４）が設けられ、前記凹部（５４）が前記第１突起部（３２）と係合している、請求項４に記載のモバイル端末。
【請求項６】
前記前面外殻（６）の背面側表面に第２突起部（６１）が設けられ、前記第３接続孔（６２）は、前記第２突起部（６１）を貫通し、かつ前記ねじ接続部材が挿入されるねじ孔であり、前記第２突起部（６１）は前記第２接続孔（５７）内に配置される、請求項５に記載のモバイル端末。
【請求項７】
前記第２接続孔（５７）に挿入されている前記第２突起部（６１）の側面が、段形状の制限面（６１１）である、請求項６に記載のモバイル端末。
【請求項８】
前記前面外殻（６）の周囲における前面側の縁部分にエピタキシャル突起部（６３）が設けられ、前記エピタキシャル突起部（６３）は前記中間外殻（５）の前面側表面の縁部分に接している、請求項１に記載のモバイル端末。
【請求項９】
前記バッテリーカバー（１）は前記背面カバー（３）とスナップ・フィットを介して取り付けられており、前記バッテリーカバー（１）、前記中間外殻（５）、および前記エピタキシャル突起部（６３）の外周表面は、モバイル端末の外側面を構成する、請求項８に記載のモバイル端末。
【請求項１０】
前記前面外殻（６）の前面側表面には段状溝が設けられており、前記表示画面（７）はスナップ・フィットを介して前記段状溝の底部に接続されており、前記表示画面（７）の前面側表面と前記段状溝の段状面とが同じ平面上に位置しており、
前記タッチ画面（８）はスナップ・フィットを介して前記段状溝の上部に接続されており、前記タッチ画面（８）の背面側表面が前記段状面に接しており、前記タッチ画面（８）の前面側表面と前記前面外殻（６）の前面側表面とが同じ平面上に位置している、請求項１から９のいずれか１つに記載のモバイル端末。
【発明の詳細な説明】
【技術分野】
【０００１】
（関連出願の相互参照）
本出願は、２０１４年１月２６日に出願された中国特許出願：出願番号２０１４１００３８２９８．５に基づいて優先権を主張するものであり、その中国特許出願の全内容が参照により本願明細書に援用される。
【０００２】
本開示は、モバイル端末の組み立て技術の分野に関し、より具体的には、モバイル端末に関する。
【背景技術】
【０００３】
携帯電話、ｉＰａｄ、ＰａｌｍＰｉｌｏｔなどのモバイル端末の構造設計において、個々の部品設計は最も重要なステップとなる。このような個々の部品設計は、生産性を向上させて、特定の機能を実現できるようなモバイル端末の個々の部品設計に関係する。個々の部品設計によれば、モバイル端末全体が組み立てられ、分解され、個々の部品に対処することでメンテナンスを行うことができる。モバイル端末において、電子部品（例えば、素子、抵抗体、キャパシタなど）は標準部品であり、通常、これら部品のサイズを変更することはできない。機械部品（例えば、モバイル端末の外殻、電子装置の支持フレームなど）はカスタマイズされた部品であり、これらの構造およびサイズは実用状況に基づいて設計されるべきである。個々の部品設計は、カスタマイズされた部品の設計にも関係する。
【０００４】
現在のところ、２種類の共通したモバイル端末構造が採用されている。１つは、前面外殻と背面外殻とからなる構造、すなわち、モバイル端末の全体構造が前面外殻と背面外殻とにより構成される構造である。このような構造では、前面外殻には、液晶画面（ＬＣＤ）、支持フレーム、その他多くの部品が備えられ、背面外殻は、モバイル端末の側面および背面を取り囲む外観部材である。もう１つは、前面外殻、背面外殻、およびバッテリーカバーを備える構造である。このような構造では、１つ目の構造に加えて、背面外殻はバッテリー脱着のためのバッテリーカバーを備えている。
【０００５】
上述したように、２種類のモバイル端末構造は共により少ない部材で構成されており、各々の部材は多くの電子部品を支持しなければならない（例えば、前面外殻には多くの部品が設けられている）。モバイル端末における多くの電子部品は標準部品であるため、各々の部材は、その上に配置される個々の電子部品の配置要求に応じる必要があり、その結果、モバイル端末の多くの部材が複雑な構造となってしまう。部材構造が複雑になればなる程、また部材の製造工程に手間がかかればかかる程、部材の製造コストが増加する。さらに、手間のかかる製造工程は、相対的に部材の歩留まりの低下を招き、さらに製造コストが増加する。モバイル端末の使用時に僅かな衝撃を受けただけで、複雑な構造を有する部材は、修理を要するかもしれず、あるいは損傷してしまうかもしれず、部材の修理に高いコストが必要となる。このように複雑な構造を有する部材は、製造コストおよび修理コストが高くなる。それに伴って、モバイル端末においても製造コストおよび修理コストが増加し、モバイル端末の市場競争力が低下する。
【発明の概要】
【０００６】
本開示では、背景技術において述べたモバイル端末における課題、すなわち高い製造コストおよび修理コストを要するという課題を解決するようなモバイル端末を提供する。
【０００７】
上述の技術課題を解決するために、本開示では、以下の課題解決策を提供する。
【０００８】
本開示の第１態様によれば、モバイル端末を提供する。このモバイル端末は、モバイル端末の中間支持体である中間外殻と、中間外殻の前面側に固定された前面外殻と、中間外殻の背面側に固定され、中間外殻の背面側を覆う背面カバーと、背面カバーに固定され、バッテリーを覆うバッテリーカバーと、前面外殻上に順に配置された表示画面およびタッチ画面と、を備え、前面外殻は、表示画面とタッチ画面とを支持するとともに、前面外殻とタッチ画面との間に表示画面が位置されている。
【０００９】
望ましくは、モバイル端末において、中間外殻は、フレームと、フレーム内に配置されてフレームにより囲まれた領域を複数の分割領域に分割する横断梁とを備え、複数の分割領域は、少なくとも回路基板領域とバッテリー領域とを含む。
【００１０】
望ましくは、モバイル端末において、背面カバーにおいてバッテリー領域に対応する位置に、バッテリー脱着のための操作開口が設けられている。
【００１１】
望ましくは、モバイル端末において、前面外殻、中間外殻、および背面カバーそれぞれの縁部分に接続孔として、第１接続孔、第２接続孔、および第３接続孔が設けられ、第１接続孔が背面カバーに設けられ、第２接続孔が中間外殻に設けられ、第３接続孔が前面外殻に設けられ、前面外殻、中間外殻、および背面カバーが、接続孔に挿入されたねじ接続部材を介して接続されている。
【００１２】
望ましくは、モバイル端末において、背面カバーの前面側表面において第１接続孔に対応する位置に第１突起部が設けられ、中間外殻において第１突起部に対応する位置に凹部が設けられ、凹部が第１突起部と係合している。
【００１３】
望ましくは、モバイル端末において、前面外殻の背面側表面に第２突起部が設けられ、第３接続孔は、第２突起部を貫通しかつねじ接続部材が挿入されるねじ孔であり、第２突起部は第２接続孔内に配置される。
【００１４】
望ましくは、モバイル端末において、第２接続孔に挿入されている第２突起部の側面が、段形状の制限面である。
【００１５】
望ましくは、モバイル端末において、前面外殻の周囲における前面側の縁部分にエピタキシャル突起部が設けられ、エピタキシャル突起部は中間外殻の前面側表面の縁部分に接している。
【００１６】
望ましくは、モバイル端末において、バッテリーカバーは背面カバーとスナップ・フィットを介して取り付けられており、バッテリーカバー、中間外殻、およびエピタキシャル突起部の外周表面は、モバイル端末の外側面を構成する。
【００１７】
望ましくは、モバイル端末において、前面外殻の前面側表面には段状溝が設けられており、表示画面はスナップ・フィットを介して段状溝の底部に接続されており、表示画面の前面側表面と段状溝の段状面とが同じ平面上に位置しており、タッチ画面はスナップ・フィットを介して段状溝の上部に接続されており、タッチ画面の背面側表面が段状面に接しており、タッチ画面の前面側表面と前面外殻の前面側表面とが同じ平面上に位置している。
【発明の効果】
【００１８】
本開示の実施の形態の技術的解決手段は、次のような効果を奏する。
【００１９】
モバイル端末全体が、中間外殻、前面外殻、背面外殻、表示画面、タッチ画面、およびバッテリーカバーを含む複数の部材を備え、複数の電子部品がそれぞれの部材に振り分けられている。したがって、各々の部材上にはより少ない電子部品が配置され、個々の部材に多くの部品配置構造を設けることを避けることができる。このような構造では、それぞれの部材の製造における複雑さを低減でき、製造工程を簡素化でき、部材製造の歩留まりを高めることができる。部材を多数化することにより、個々の部材の重要性およびコストが低減し、損傷により生じる部材の被害を低減できる。これにより、部材の修理コストを低減できる。モバイル端末全体に関しても、製造コストと修理コストとを低減できる。
【００２０】
上述の説明および以下の詳細な説明は例示的なものに過ぎず、本開示が限定して解釈されるものではない。
【図面の簡単な説明】
【００２１】
本開示の実施の形態において技術的解決策をより明確に示すために、実施の形態を説明する図面は概略的に示している。また、当業者であれば、創造的な活動を行うこと無く、以下の図面に基づいて他の図面を得ることができることは明白である。
【図１】例示的な実施の形態にかかるモバイル端末の分解組み立て斜視図
【図２】例示的な実施の形態にかかる図１の部分斜視図
【図３】例示的な実施の形態にかかる中間外殻の斜視図
【図４】例示的な実施の形態にかかるモバイル端末の部分断面図
【図５】例示的な実施の形態にかかるモバイル端末のフレームにおける複数の分割領域を示す図  本発明を実現する実施の形態を示して、明細書に沿って本発明の原理を説明するために、これらの図面は明細書の一部として取り込まれる。
【発明を実施するための形態】
【００２２】
本開示の実施の形態では、背景技術にて述べた課題、すなわち高い製造コストおよび修理コストを要するという課題を解決するようなモバイル端末を提供する。
【００２３】
本開示の実施の形態における技術的解決策は、明細書の図面を参照して詳細に示される。当業者であればさらに良い技術的解決策を理解することができ、また、実施の形態における目的、特徴、および効果は明白となり、十分に理解されるであろう。
【００２４】
本開示の実施の形態にかかるモバイル端末の構造を図１に示す。図１のモバイル端末は、中間外殻５、前面外殻６、背面カバー３、バッテリーカバー１、表示画面７、およびタッチ画面８を備える。
【００２５】
中間外殻５は、実施の形態のモバイル端末のメインサポートフレームであり、モバイル端末の中間支持体として構成されている。中間外殻５は、その上に配置されるモバイル端末の電子部品を支持し、また、前面外殻６と背面カバー３とのマウントベースとなる。そのため、中間外殻５の外周面は、モバイル端末の外側面の一部となる、あるいは、モバイル端末の外側面の全体となる。
【００２６】
前面外殻６はモバイル端末全体の前面側の外殻部材であり、中間外殻５の前面側に固定されている。通常、前面外殻６は、表示画面部品の支持体として機能する補助的な部品である。言い換えれば、前面外殻６は、表示画面７とタッチ画面８とを支持するように構成されている。
【００２７】
背面カバー３はモバイル端末全体の背面側の外殻部材であり、中間外殻５の背面側を覆うように中間外殻５の背面側に固定されている。また、背面カバー３は、モバイル端末におけるアンテナやフレキシブル基板のような部品のためのマウントベースとなる。バッテリーカバー１は背面カバー３に固定され、バッテリーを覆う。通常、モバイル端末の背面カバー３にはバッテリーを取り出すための開口が設けられている。バッテリーカバー１の構造は、モバイル端末からのバッテリーの取り出しを容易にし、バッテリーの装着または取り出しの際にバッテリーカバー１を開放できるものであればよい。
【００２８】
表示画面７およびタッチ画面８は、それぞれモバイル端末における表示部品および操作部品であり、前面外殻６に順に配置され（一般的には固定され）、前面外殻６とタッチ画面８との間に表示画面７が位置する。
【００２９】
背景技術に対して、本開示の実施の形態におけるモバイル端末は、中間外殻５、前面外殻６、背面カバー３、バッテリーカバー１、表示画面７、およびタッチ画面８を含む複数の部材からなる。背景技術では、モバイル端末の電子部品が前面外殻に集中していたのに対して、本実施の形態では電子部品が複数の部材に振り分けられている。そのため、各々の部材上にはより少ない電子部品しか存在せず、各々の部材には多くのマウント構造を設ける必要がなく、部材の製造における複雑さを低減でき、製造工程を簡素化できる。これにより部材製造における歩留まりを高めることができる。部材を多数化することにより、個々の部材の重要性およびコストが低減し、損傷により生じる部材の被害を低減でき、部材の修理コストを低減できる。したがって、モバイル端末における製造コストと修理コストとを低減できる。
【００３０】
モバイル端末は複数の部材から構成され、モバイル端末の外表面が損傷した場合であっても、ほとんどの部品および部材を回収することができ、モバイル端末の製造コストおよび修理コストをさらに低減できる。
【００３１】
モバイル端末のメインサポートフレームとしての中間外殻５は、様々な構造を有することができ、モバイル端末の形態に応じて決定できる。通常、中間外殻５は、支持機能を最適化するためにより高い強度が要求される。そのため、製造者は、中間外殻５の形成材料として、より高い強度を有する材料（例えば、金属）を採用する傾向にあり、中間外殻５の製造コストの上昇を招く。このようなコストに関する課題を解決するために、本開示の実施の形態では、特別な構造を有する中間外殻を提供する。図３に示すように、中間外殻３はフレーム５２と横断梁５１とを備える。横断梁５１はフレーム５２の内側に配置されており、フレーム５２によって囲まれた領域を複数の領域に分割している。これら分割された複数の領域にはモバイル端末の電子部品が配置される。中間外殻５はフレーム構造（建物の骨組みのような）を有し、中間外殻５の強度を高めている。横断梁５１は中間外殻５全体の強度を高め、様々な電子部品のための分割領域を形成する機能を有する。本開示の実施の形態では、中間外殻５は、簡単でありかつ容易に交換可能なフレーム構造を有し、損傷した場合の修理コストを効果的に抑制できる。
【００３２】
図３に示すように、複数の分割領域は、回路基板領域（例えば、回路基板９および回路基板１０が配置されるようにそれぞれ構成された回路基板領域５３および回路基板領域５５）と、バッテリー領域５６（バッテリー４を受け入れるように構成されたバッテリー領域５６）とを含む。もちろん、複数の分割領域は他の機能を備えてもよく、本開示の実施の形態は分割領域の機能を限定するものではない。また、本実施の形態は横断梁を用いて領域を複数の分割領域に分けることを限定するものではなく、縦断梁（すなわち、モバイル端末の長手方向に延びる梁）を用いてもよく、あるいは縦断梁と横断梁とを組み合わせて用いてもよいことは理解できるであろう。領域の分割方法について図５に示す。図５に示すように、フレーム５２に囲まれた領域が、構造補強モジュール領域（構造補強モジュール領域Ａ、構造補強モジュール領域Ｂ、構造補強モジュール領域Ｃ、および構造補強モジュール領域Ｄ）、音楽モジュール領域Ｅ、通信モジュール領域Ｆ、カメラモジュール領域Ｇ、ゲームモジュール領域Ｈに分割されている。当業者であれば、モバイル端末のタイプや電子部品の配置に基づいて、横断梁５１および縦断梁の本数および形態を調整することができる。本開示の実施の形態は、横断梁５１および縦断梁の本数、ならびにそれらの形態について限定されない。
【００３３】
バッテリー領域５６が分割領域に含まれる場合には、バッテリー脱着のための操作開口３１が、背面カバー３においてバッテリー領域５６に対応する位置に設けられる。このような形態では、バッテリーは背面カバー３から実質的に露出されており、操作開口３１を通じてバッテリーの脱着ができるため、作業時に背面カバー３上に配置されたモバイル端末における他の電子部品が損傷を受けることはない。実用上、取り出し動作において、モバイル端末の他の要素、例えばスマートカードなどを円滑に取り出せるようにしてもよい。そのような場合には、他の要素に対応した操作開口を背面カバー３に設けてもよい。
【００３４】
本開示の実施の形態にかかるモバイル端末では、前面外殻６が中間外殻５の前面側に固定され、背面カバー３が中間外殻５の背面側に固定されている。そして、これらの部材は、直接固定（すなわち、接続部材または接続構造を介して前面外殻６が中間外殻５の前面側に直接的に固定されており、接続部材または接続構造を介して背面カバー３が中間外殻５の背面側に直接的に固定されている。）、あるいは間接固定（例えば、前面外殻６が背面カバー３に固定されて、両者の間に中間外殻５がクランプされている。）にて固定してもよい。固定工程において、接続部材または接続構造（例えば、スナップ・フィット構造）を用いてもよい。図２、図３、図４に示すように、本開示の実施の形態では接続構造を提供する。本実施の形態では、前面外殻６、中間外殻５、および背面カバー３それぞれの縁部分に、複数の接続孔として、第１接続孔３３、第２接続孔５７、第３接続孔６２が設けられている。第１接続孔３３は背面カバー３に形成され、第２接続孔５７は中間外殻５に形成され、第３接続孔６２は前面外殻６に形成されている。前面外殻６、中間外殻５、および背面カバー３はこれらの接続孔内に配置された接続部材、例えば、ねじ接続部材を介して互いに接続されている。組み立て工程では、前面外殻６、中間外殻５、および背面カバー３におけるそれぞれの接続孔の位置合わせが行われた後、接続部材を介して前面外殻６、中間外殻５、および背面カバー３が接続されて、組み立て体が完成する。
【００３５】
前面外殻６、中間外殻５、および背面カバー３が単に重ね合わされた後、接続部材を介して接続されるのであれば、組み立ての信頼性が高くなく、モバイル端末全体の容積も相対的に大きくなるかもしれないという問題が生じる。このような問題を解決するために、本開示の実施の形態における背面カバー３では、背面カバー３の前面側表面において第１接続孔３３に対応する位置に第１突起部３２が設けられ、中間外殻５において第１突起部３２に対応する位置に凹部５４が設けられている。凹部５４が第１突起部３２と係合することにより、背面カバー３と中間外殻５とが位置決めされる。このような構成において、第１突起部３２が凹部５４に係合された後、背面カバー３と中間外殻５とが接続部材を介して接続される。したがって、部材同士がよりコンパクトに接続され、部材組み立てにおける信頼性が高まる。凹部５４は第１突起部３２とスナップ・フィットを介して固定されてもよく、これにより位置決め性と部材の組み立て性が高まる。
【００３６】
本開示の実施の形態にかかるモバイル端末では、前面外殻６の背面側表面に第２突起部６１が設けられており、第３接続孔６２は、第２突起部６１を貫通し、ねじ接続部材が挿入されるように形成されている。第２突起部６１と第２接続孔５７とは位置決めされて互いに係合する。図４に示すように、第２突起部６１は第２接続孔５７内に配置される。ねじ接続部材（例えば、ボルト２）は、第１接続孔３３を貫通して第３接続孔６２に接続される。さらに、中間外殻５が前面外殻６と背面カバー３との間に配置されて、前面外殻６における第２突起部６１が接続孔６２内に位置され、これにより、中間外殻５に対する固定が実現される。このような中間外殻５と前面外殻６との間の位置決めおよび係合は、小型化および部材組み立ての信頼性を高める。第２接続孔５７に係合する第２突起部６１の側面は段形状の制限面６１１となっており、中間外殻５および前面外殻６の生産性を高めることができ、迅速な位置決めおよび組み立てが実現できる。ボルト２は、再現性と修理との便宜のために、より高い再現性（すなわち、繰り返し利用性能）を有するボルトであってもよい。
【００３７】
同様に、本開示の実施の形態にかかるモバイル端末では（図４に示すように）、前面外殻６の周囲における前面側の縁部分にエピタキシャル突起部６３が配置されている。前面外殻６と中間外殻５との組み立ての便宜のために、エピタキシャル突起部６３は中間外殻５の前面側表面の縁部分に接している。本開示の実施の形態では、バッテリーカバー１は、接続部材または接続構造を介して、取り外し可能に背面カバー３に接続することができる。接続構造（例えば、スナップ・フィット）は、接続性とモバイル端末の外部表面における美しい外観性とを向上させる。バッテリーカバー１、中間外殻５、およびエピタキシャル突起部６３の外周表面は、モバイル端末の外側面を構成する。バッテリーカバー１および中間外殻５の組み立て面はモバイル端末の側面に位置し、バッテリーカバー１の取り外しを容易にするとともに、動作の効率性が向上する。
【００３８】
本開示の実施の形態において、表示画面７およびタッチ画面８は、接続部材を介して前面外殻６に接続することができ、もちろん、固定された接続構造を介して前面外殻６に接続することもできる。図４に示すように、前面外殻６の前面側表面には段状溝が形成されている。表示画面７はスナップ・フィットを介して段状溝の底部に接続されており、表示画面７の前面側表面と段状溝の段状面とが同じ平面上に位置している。タッチ画面８は、スナップ・フィットを介して段状溝の上部に接続されており、タッチ画面８の背面側表面は段状面に接しており、タッチ画面８の前面側表面と前面外殻６の前面側表面とが同じ平面に位置している。
【００３９】
本開示の実施の形態にて提供されるモバイル端末は、携帯電話、ｉＰａｄ、ＰａｌｍＰｉｌｏｔ、ＰＯＳなどであってもよい。本開示では、モバイル端末の種類は限定されない。
【００４０】
本開示の実施の形態において、「前面側」または「前面側表面」は、ユーザの操作インタフェースまたは表示インタフェースに近い、部材の側または部材の側の表面を意味する。また、「背面側」または「背面側表面」は、ユーザの操作インタフェースまたは表示インタフェースから離れた、部材の側または部材の側の表面を意味する。
【００４１】
本明細書の各々の実施の形態は進歩的な方法で記述することができ、各々の実施の形態において同じまたは類似部分を互いに参照することができる。各々の実施の形態において着目すべき点は、他の実施の形態とは区別される。
【００４２】
上述した本開示の実施の形態は、開示の保護範囲を限定するものではない。本開示の意図および原理を逸脱しない範囲でのいかなる改変、代替、改良は、本開示の保護範囲に含まれる。
【図１】
2016514281.tif 000003
【図２】
2016514281.tif 000004
【図３】
2016514281.tif 000005
【図４】
2016514281.tif 000006
【図５】
2016514281.tif 000007
【国際調査報告】
2016514281.tif 000008
2016514281.tif 000009
2016514281.tif 000010
2016514281.tif 000011